(57)【要約】【課題】プリンタでユーザが作成した帳票を印刷できる感圧複写紙を提供する。【解決手段】基材紙２の第１領域２ａおよび第２領域２ｂに発色層３を設け、第１領域の発色層３ａに防護層４ａを設け、防護層４ａに顕色層５ａを設ける。第１領域ａと第２領域ｂの境界には、ミシン目９を設ける。展開状態で帳票１１を印刷した後、ミシン目９において感圧複写紙１を折りたたみ、第１領域２ａの記入面２ｘに文字等を筆記すると、筆圧により顕色層５の顕色剤８と化学反応し、第２領域２ｂに文字等が複写される。【選択図】図２
2019042987.tif 000002
【特許請求の範囲】
【請求項１】
２つ折り可能な基材紙を備え、前記基材紙が２つ折りされた状態で、筆圧を直接受ける第１領域と、第１領域を介して前記筆圧を間接的に受ける第２領域とを含み、
前記基材紙の第１および第２領域に、筆圧により発色剤を滲出させる発色層が形成され、
前記第２領域の発色層が、前記発色剤の漏出を防ぐ防護層で被覆され、
前記第２領域の防護層に、前記第１領域の発色層から漏出した発色剤と化学反応して発色する顕色層が形成されていることを特徴とする感圧複写紙。
【請求項２】
基材紙は、厚みが０．０６ｍｍ〜０．１１ｍｍの印刷用紙からなる請求項１に記載の感圧複写紙。
【請求項３】
前記防護層がメジウムを含む、請求項１または２に記載の感圧複写紙。
【請求項４】
前記基材紙の第１領域と第２領域の境界に、ミシン目が設けられている請求項１〜３のいずれかに記載の感圧複写紙。
【請求項５】
前記第１領域と前記第２領域とが略同じ面積である請求項１〜４のいずれかに記載の感圧複写紙。
【発明の詳細な説明】
【技術分野】
【０００１】
本発明は、ユーザが市販のプリンタ（レーザプリンタやインクジェットプリンタ）を用い、任意の帳票等を印刷することができる感圧複写紙に関するものである。
【背景技術】
【０００２】
従来より、発色剤と顕色剤を設けた感圧複写紙の技術が知られている。一般的に感圧複写紙では、上用紙に発色剤を内包したマイクロカプセル塗布面を設け、下用紙に顕色剤塗布面を設け、これらの塗布面が当接するように上用紙および下用紙を重ね、上用紙に文字等を筆記すると、筆圧によりマイクロカプセルが破れ、漏出した発色剤が下用紙の顕色剤と化学反応を生じ、下用紙に複写される。
【０００３】
また、感圧複写紙の技術を応用し、一枚の用紙から上用紙および下用紙を作成し、複写式の帳票を作成する技術も知られている。例えば、特許文献１には、裏面にマイクロカプセルを塗布した上用紙を用意し、マイクロカプセル塗布面の所定の領域に顕色剤を重ねて塗布し、上用紙の表面に帳票書式を印刷した後、塗布面が内側となるように折りたたみ、折り曲げ部を切り落とすことで、複写式の帳票を作成する感圧複写シートが記載されている。
【先行技術文献】
【特許文献】
【０００４】
【特許文献１】特開２００５−０５９２５０号公報
【発明の概要】
【発明が解決しようとする課題】
【０００５】
しかし、特許文献１の感圧複写シートによれば、マイクロカプセルの上に直接顕色剤が塗布されているため、複写シートに圧力がかかると、漏出した発色剤が容易に顕色剤に接触し、複写面が発色する。このため、プリンタで書式等を印刷しようとすると、給紙ローラー等により圧迫され、複写面に圧迫跡が残り、紙が汚れてしまうという問題があった。
【０００６】
そこで、本発明の課題は、感圧紙表面を圧迫されても汚れが生じ難く、プリンタによる印刷を安心して行うことができる感圧複写紙を提供することにある。
【課題を解決するための手段】
【０００７】
上記課題を解決するために、本発明の感圧複写紙は、２つ折り可能な基材紙を備え、基材紙が２つ折りされた状態で、筆圧を直接受ける第１領域と、第１領域を介して筆圧を間接的に受ける第２領域とを含み、基材紙の第１および第２領域に、筆圧により発色剤を滲出させる発色層が形成され、第２領域の発色層が、発色剤の漏出を防ぐ防護層で被覆され、第２領域の防護層に、第１領域の発色層から漏出した発色剤と化学反応して発色する顕色層が形成されていることを特徴とする。
【０００８】
本発明の好ましい実施形態では、基材紙として、厚みが０．０６ｍｍ〜０．１１ｍｍの印刷用紙を用いても良い。また、防護層は、メジウムを含んでも良い。
【０００９】
基材紙の第１領域と第２領域の境界には、ミシン目を設けることもでき、また、第１領域と第２領域とを略同じ面積に設けても良い。
【発明の効果】
【００１０】
本発明の感圧複写紙によれば、発色層と顕色層の間に防護層を設けたため、発色層から発色剤が滲出しても、防護層により留められ、顕色剤との接触を抑制することができる。このように、展開状態においては、複写紙表面から圧力を受けても不要な発色が起こりにくいため、安全にプリンタを用いて任意の帳票等を印刷することができるという優れた効果がある。一方、折り畳んだ状態では、第１領域の発色層と第２領域の顕色層が直に接し、記入した文字を適切に複写できるという効果もある。
【図面の簡単な説明】
【００１１】
【図１】本発明の実施形態を示す感圧複写紙の展開図である。
【図２】図１の感圧複写紙のＡＡ断面図である。
【図３】図１の感圧複写紙の折りたたんだときの断面図である。
【図４】複写式帳票の印刷例を示す表裏両面図である。
【図５】図４の帳票における複写方法を示す工程図である。
【発明を実施するための形態】
【００１２】
以下、本発明の実施形態を図面に基づいて説明する。図１，２に示す感圧複写紙１は、基材紙２と、発色剤６を含む発色層３と、発色剤６の漏出を防止する防護層４と、顕色剤８を含む顕色層５とから構成される。発色層３は、発色剤６を内包したマイクロカプセル７を含む。なお、基材紙２としては、Ｎ４０〜Ｎ８０規格（０．０６ｍｍ〜０．１１ｍｍ）の厚みを有するノーカーボン紙を用いることができ、特に、プリンタ印刷を考慮すると、Ｎ６０〜Ｎ８０規格（０．０８ｍｍ〜０．１１ｍｍ）の厚みを有するノーカーボン紙が好ましい。また、マイクロカプセル７は、ゼラチン等を主成分とする薄い被膜からなり、所定の圧力が加わると被膜が破れ、内包物を滲出させる微小固体粒子である。マイクロカプセル７に内包する発色剤６としては、フタリド化合物等の無色染料が用いることができる。防護層４は、メジウムインキ（カットニス）を塗布して形成することができる。顕色層５の顕色剤８としては、フェノール性樹脂や酸性白土等の無機化合物を用いることができる。また、顕色層５に、発色剤６と顕色剤８の化学反応を促進する増感剤を含有させても良い。
【００１３】
基材紙２は、ミシン目９で２つ折りにした状態（図３参照）で筆圧を直接受ける第１領域２ａと、第１領域２ａを介して前記筆圧を間接的に受ける第２領域２ｂを含む。第１，２領域２ａ，２ｂにはそれぞれ発色層３ａ，３ｂが設けられ、２ｂの発色層３ｂには防護層４が設けられている。そして、防護層４には発色層３ｂから漏出する発色剤６と化学反応して発色する顕色層５が形成されている。基材紙２の表面は記入面２ｘとなっていて、ここに文字等を記入すると、発色剤７と顕色剤８の化学反応により、顕色層５に文字等が複写される。
【００１４】
次に、上記感圧複写紙１に筆記した文字等が複写される仕組みについて詳説する。図３（ａ），（ｂ）に示すように、感圧複写紙１をミシン目９で折りたたみ、筆記具１０で第１領域２ａに筆記を行うと、筆圧により発色層３ａが圧迫される。すると、発色層３ａのマイクロカプセル７が壊れ、発色剤６が発色層３ａから滲出する。発色剤６が顕色層５に到達すると、顕色層５に含まれる顕色剤８と化学反応する。この化学反応によって、顕色層５の顕色部位５ｙに記入した文字等が複写される。
【００１５】
以下、感圧複写紙１を用いた帳票等への応用例を示す。図４（ａ）に示すように、市販のプリンタを用いて、基材紙２の片面において第１領域２ａに原本書式１２を印刷し、続いて図４（ｂ）に示すように、基材紙２の反対面において第２領域２ｂに複写（控え）書式１３を印刷して、感圧複写紙１を作成することができる。原本書式１２および控え書式１３は、プリンタの両面印刷機能を用いて同時に印刷しても良い。
【００１６】
次に、図５（ａ）に示すように、ミシン目９に沿って、控え書式１３を印刷した面（面５ｙ）が内側となるように感圧複写紙１を折る。そして、ボールペン等の筆記具１０を用いてチェックや文字を原本書式１２に書き入れると、控え書式１３にチェックや文字が複写される。記入が終わったら、図５（ｂ）に示すようにミシン目９で切り離し、原本書式１２と控え書式１３を得ることができる。
【００１７】
以上の構成の感圧複写紙１によれば、発色層３と顕色層５の間に防護層４が設けられているため、基材紙２を展開した状態ではプリンタによる顕色層５の発色が抑制され、印刷できるとともに、基材紙２を折りたたんだ状態では、発色層３ａと顕色層５ｂが当接し、記入面２ｘに記入された文字等が顕色層５に複写がされるという優れた効果を有する。
【００１８】
なお、本発明は、上記実施形態に限定されるものではなく、例えば、発色層３の範囲を基材紙２より小さく設けたり、顕色層５ａの範囲を防護層４ａの範囲より小さく設けたりするなど、本発明の趣旨を逸脱しない範囲で各部の形状や構成を適宜に変更して実施することも可能である。
【符号の説明】
【００１９】
１    感圧複写紙
２    基材紙
２ａ  第１領域
２ｂ  第２領域
３    発色層
４    防護層
５    顕色層
６    マイクロカプセル
７    発色剤
８    顕色剤
９    ミシン目
１０  筆記具
１２  原本書式
１３  控え書式
【図１】
2019042987.tif 000003
【図２】
2019042987.tif 000004
【図３】
2019042987.tif 000005
【図４】
2019042987.tif 000006
【図５】
2019042987.tif 000007